(57)【要約】【課題】  屋内外で容易に利用することができる情報提供装置を提供する。【解決手段】  ネットワーク７を介して接続している端末１から送信される要求に応じて、端末１に所定の情報を提供する情報提供装置において、識別情報が記録された非接触型ＩＣカード４と、屋内外の所定の場所に固定設置され、互いを識別する固有の情報を持つ複数の端末１と、端末１とネットワーク７を介して相互に情報の授受を行うサーバ８とを備え、端末１には、識別情報を読み取る情報読取手段５と、サーバ８が提供する情報を表示する表示手段４と、要求情報を入力する入力手段３とが設けられ、サーバ８には、識別情報と要求情報とを記憶する記憶手段９と、識別情報と要求情報と固有の情報とから提供情報を抽出する情報抽出手段１０とが設けられ、提供情報を端末１の表示手段４に表示することを特徴とする情報提供装置。【選択図】図１
2010112940.tif 000002
【特許請求の範囲】
【請求項１】
ネットワークを介して接続している端末から送信される要求に応じて、前記端末に所定の情報を提供する情報提供装置において、識別情報が記録された非接触型ＩＣカードと、屋内外の所定の場所に固定設置され、互いを識別する固有の情報を持つ複数の端末と、前記端末とネットワークを介して相互に情報の授受を行うサーバとを備え、前記端末には、前記識別情報を読み取る情報読取手段と、前記サーバが提供する情報を表示する表示手段と、要求情報を入力する入力手段とが設けられ、前記サーバには、前記識別情報と前記要求情報とを記憶する記憶手段と、前記識別情報と前記要求情報と前記固有の情報とから提供情報を抽出する情報抽出手段とが設けられ、前記提供情報を前記端末の表示手段に表示することを特徴とする情報提供装置。
【発明の詳細な説明】
【技術分野】
【０００１】  本発明は、ネットワークを介して接続している端末に情報を提供する情報提供装置に関する。
【背景技術】
【０００２】  情報提供装置に関し、例えば目的地までの経路を探索して、利用者が携帯する端末に地図および経路を情報として表示するナビゲーション装置がある。ナビゲーション装置は、例えば、携帯電話機の表示画面に地図として表示する携帯ナビゲーション装置が普及しており、目的地までの経路が、徒歩・電車・徒歩と複数の移動手段に跨っても利用者に適切な経路案内を行う経路案内サービスを利用することができるようになってきている。この種の携帯ナビゲーション装置は、ＧＰＳ（Ｇｌｏｂａｌ  Ｐｏｓｉｔｉｏｎｉｎｇ  Ｓｙｓｔｅｍ：全地球測位システム）によって現在地情報を取得している（特許文献１参照）。
【特許文献１】特開２００６−４４３２８号公報
【発明の開示】
【発明が解決しようとする課題】
【０００３】  しかしながら、上記のような従来の装置では、次のような問題点があった。第１に、ＧＰＳによって現在値情報を取得しているため、屋内や地下街といった場所ではＧＰＳ衛星からの電波の届かないため経路案内サービスを利用することができない。第２に、経路案内サービスを利用するには専用の機能を有する携帯端末が必要であり、利用者にとってはコスト面および手続面での負担が大きいものとなっている。【０００４】  そこで、本発明は、屋内外で簡便に利用することができる情報提供装置を提供することを目的とする。
【課題を解決するための手段】
【０００５】  上記目的を達成するために、本発明の情報提供装置は、ネットワークを介して接続している端末から送信される要求に応じて、端末に所定の情報を提供する情報提供装置において、識別情報が記録された非接触型ＩＣカードと、屋内外の所定の場所に固定設置され、互いを識別する固有の情報を持つ複数の端末と、端末とネットワークを介して相互に情報の授受を行うサーバとを備えている。ここで、端末には、識別情報を読み取る情報読取手段と、サーバが提供する情報を表示する表示手段と、要求情報を入力する入力手段とが設けられ、また、サーバには、識別情報と要求情報とを記憶する記憶手段と、識別情報と要求情報と固有の情報とから提供情報を抽出する情報抽出手段とが設けられている。そして、抽出された提供情報を端末の表示手段に表示することを特徴としている。
【発明の効果】
【０００６】  本発明の情報提供装置によれば、屋内外で簡便に情報提供を利用することができる。
【発明を実施するための最良の形態】
【０００７】  以下に、本発明による情報提供装置を、より具体的に説明する。
【実施例】
【０００８】  図１は、本発明による情報提供装置の一実施例を示す図である。端末１（１ａ，・・・１ｎ）は、イベント会場、ショッピングモール、地下街といった屋内外の所定の複数箇所に固定設置され、表示手段である表示器２に各種のイベント情報や地図・案内図、宣伝広告、電車の時刻表といった様々な情報が表示されている。【０００９】  ３は端末に設けられた入力手段で、利用者が行きたい場所（要求情報）を目的地情報として入力できる。ここで入力手段３は、キーボードのように直接に文字情報を入力できるものに限らず、例えば表示器２がタッチパネル式のもので、画面案内に従って目的地情報を選択式に入力できるものでも良い。【００１０】  ４は、利用者が携帯する例えばＳｕｉｃａ（登録商標）やＰＡＳＭＯ（登録商標）などの非接触型ＩＣカードであり、端末１の情報読取手段であるカードリーダ５にかざすことにより、非接触型ＩＣカード４に記録された例えばＩＤ番号情報を識別情報として読み取ることができる。【００１１】  目的地情報とＩＤ番号情報とは、操作が行われた端末１が有し端末同士を互いに識別できる例えばシリアル番号のような固有の情報とともに、端末１の端末制御部６により各情報を一時的に記憶しネットワーク７を介してサーバ８へ送信される。この固有の情報は端末１の位置を特定するために識別できるものであれば良く、端末ごとに固有の情報であればシリアル番号に限定されない。【００１２】  サーバ８では、端末１から送信された情報で、目的地情報とＩＤ番号情報とを記憶手段９により保存する。そして、情報抽出手段１０により、目的地情報と端末１のシリアル番号とから、操作が行われている端末１から目的地までの案内図（提供情報）を抽出する。ここで、情報抽出手段１０は、例えば、予め用意された案内図情報パターンの中から条件に合致する案内図を抽出するようにしても良い。【００１３】  利用者が最初に操作した端末１とは別の端末１で再度操作する場合で目的地が変わらない場合は、非接触型ＩＣカード４を端末１のカードリーダ５へかざすだけで、非接触型ＩＣカード４のＩＤ番号情報と端末１のシリアル番号がサーバ８へ送信され、記憶手段９に保存されているＩＤ番号情報と照合し、保存されている目的地情報を抽出して、操作が行われた端末１と目的地までの案内図を端末１の表示器２へ表示することができる。【００１４】  サーバ８から端末１への送信はサーバ制御部１１で行われる。【００１５】  以下、本実施形態の作用を、図２のフローチャートに基いて説明する。【００１６】  利用者は、所定の場所に設定された複数の端末１のうち、任意の端末１を選択して操作を行う。最初の操作で目的地をまだ設定していない場合、あるいは目的地を変更したい場合は、端末１にある入力手段３により目的地を設定する（ステップＳ１０１のＹ、ステップＳ１０２）。【００１７】  非接触型ＩＣカード４を端末のカードリーダ５へかざすことにより、ＩＤ番号を読み取らせる（ステップＳ１０３）。【００１８】  目的地情報、ＩＤ番号情報および端末１のシリアル番号をネットワークを介してサーバ８へ送信する（ステップＳ１０４）。【００１９】  サーバ８では受信した情報より、操作が行われた端末１から目的地までのルートを示す案内図を抽出し（ステップＳ１０５）、操作が行われた端末１へ案内図情報を送信し（ステップＳ１０６）、端末１に表示する（ステップＳ１０７）。【００２０】  利用者はその案内図情報を見て、目的地まで迷うことなく到達することができる。また、道に迷った場合は、近くにある端末１にＩＣカード４をかざすことにより、既にサーバ８に保存されている目的地情報、ＩＤ番号情報と照合して、操作が行われた端末１から目的地までの案内図が端末１に表示される。【００２１】  従って、本実施の形態によれば、屋内や地下街のようなＧＰＳ電波の届かない場所であっても、簡便な操作で目的地までの案内図情報を提供することができる。【００２２】  なお、目的地情報を設定する他の実施例として、表示器２の内容が時々刻々と変わるような表示に対して、利用者が目的とする要求情報が表示された時に非接触型ＩＣカード４をカードリーダ５にかざすことにより、ＩＤ番号情報とともに目的地情報を合わせて入力できるようにしても良い。また、デパート等の複合商業施設において、各店の情報が碁盤の目のように複数表示された案内看板等において、各店の看板位置に合わせてカードリーダ５をそれぞれ設置し、目的の店の看板上に非接触型ＩＣカード４をかざすだけでＩＤ番号情報とともに目的地情報を入力できるものでも良い。【００２３】  さらに、この発明は、上述した実施例に何ら限定されるものではなく、その実施の段階ではその要旨を逸脱しない範囲で構成要素を変形して実施することができる。
【図面の簡単な説明】
【００２４】
【図１】本発明の一実施の形態を示す構成図。
【図２】本発明の一実施の形態の処理の流れを示すフロー図。
【符号の説明】
【００２５】１ａ、１ｂ、１ｃ、１ｎ・・・端末、２・・・表示器、３・・・入力手段、４・・・非接触型ＩＣカード、５・・・カードリーダ、６・・・端末制御部、７・・・ネットワーク、８・・・サーバ、９・・・記憶手段、１０・・・情報抽出手段、１１・・・サーバ制御部
【図１】
2010112940.tif 000003
【図２】
2010112940.tif 000004